(57)【要約】【課題】  品物を所定の高さに支持し、内部の空間を活用し得るように引き出しを有すると共に、ドラム洗濯機と衣類乾燥機のように脚部の位置が互いに異なる品物の支持に共用化し得る台座を提供する。  また、引き出しが台座の内部に所定の深さ以上挿入されると、自動的にロッキングされ、台座が傾いても引き出しが抜けるのを防止する台座を提供する。【解決手段】  本発明による台座は、一方の側面に開口部が形成される所定の高さの台座本体と、該台座本体の開口部を通して出し入れされながら該開口部を開閉する引き出しと、を含んで構成されることを特徴とする。【選択図】  図２
2010057969.tif 000002
【特許請求の範囲】
【請求項１】
一方の側面に開口部が形成される所定の高さの台座本体と、
該台座本体の開口部を通して出し入れされる該開口部を開閉する引き出しと、
前記台座本体の下面に提供され、高さ調節が可能な各脚部組立体と、
を含んで成る台座。
【請求項２】
前記各脚部組立体は、
外周面に螺子山が形成されて前記台座本体の下部に結合される螺子部、そして前記螺子部の下端に具備されるボルトヘッドから成る脚部ボルトと、
上面が前記ボルトヘッドに密着され、下面が前記台座の設置される底面に触れるソフト材質の緩衝部材と、  
前記緩衝部材と前記ボルトヘッドとを相互結合させるスロットダーと、を含むことを特徴とする請求項１に記載の台座。
【請求項３】
前記ボルトヘッドは、  
前記螺子部の下端に一体に形成される多面体構造の上部ヘッド部と、
前記上部ヘッド部の下部に一体に形成される円状の下部ヘッド部と、を含むことを特徴とする請求項２に記載の台座。
【請求項４】
前記緩衝部材は、
前記脚部ボルトに対して相対的に回転しないように前記下部ヘッド部に結合されることを特徴とする請求項３に記載の台座。
【請求項５】
前記スロットダーは、
上下部が貫通されるように形成され、前記下部ヘッド部の端の上面と前記緩衝部材の端の下面をそれぞれ上下方向から加圧して前記下部ヘッド部と前記緩衝部材を相互に固定し、前記貫通された下部を通って前記緩衝部材の下部が下方に突出されることを特徴とする請求項２に記載の台座。
【請求項６】
前記スロットダーは、
前記下部ヘッド部と前記緩衝部材の外周面を支持して上下方向に貫通された環状のスロットダー本体と、
外周面が前記スロットダー本体の下端の内周面に一体に連結されて前記緩衝部材の端部の下面を支持し、中央部に前記緩衝部材の下部が貫通する開口部を有する下端支持部と、
前記スロットダー本体の上端内周面から中心に向けて突出して前記下部ヘッド部の端の上面を支持し、下面から前記下端支持部の上面までの距離が、前記緩衝部材の端の厚さと前記下部ヘッド部の端の厚さの合計より小さい上端支持部と、を含むことを特徴とする請求項２に記載の台座。
【請求項７】
前記上端支持部は、
円周方向に所定間隔を有する複数個のフックを含むことを特徴とする請求項６に記載の台座。
【請求項８】
前記下端支持部は、
前記各フックの下側に位置する部分に複数個の切開孔を有することを特徴とする請求項７に記載の台座。
【請求項９】
前記スロットダーと前記脚部ボルトは、相対的に回転しないように形成されることを特徴とする請求項２に記載の台座。
【請求項１０】
前記スロットダーの内面にはスロットダー回転防止突起が突出形成され、前記ボルトヘッドの外面には前記スロットダー回転防止突起が挿入されるスロットダー回転防止溝が形成されることを特徴とする請求項９に記載の台座。
【請求項１１】
前記スロットダーは、
非柔質材質から構成され、外周面が多角状構造に形成されることを特徴とする請求項９に記載の台座。
【発明の詳細な説明】
【技術分野】
【０００１】
本発明は、品物を所定の高さに支持する台座に関し、特に内部に品物を収納できる家電機器用台座に関する。
【背景技術】
【０００２】
一般に、ドラム洗濯機は、洗剤、洗濯水及び洗濯物がドラムの内部に投入された状態で、モーターの駆動によって回転するドラムと、洗濯物の摩擦力及び洗剤の化学作用を利用して洗濯物を洗濯する装置であって、洗濯中に洗濯物が互いに絡み合うことなく、洗濯物を叩き洗いや揉み洗いする洗濯効果を発揮することができる。
【０００３】
前記ドラム洗濯機は、前面に洗濯物の投入/引出口を有するキャビネットと、該キャビネットの内部に提供される洗濯桶を含んで成る。ここで、前記キャビネットは、だいたい直六面体であってドラム洗濯機の外観を成し、前記キャビネットの前面には、前記ドラム洗濯機の駆動を制御するコントロールパネルと前記洗濯物の投入/引出口を開閉するドアが提供される。
【０００４】
しかしながら、前記ドラム洗濯機は、洗濯物の投入/引出口が低く形成されているため、前記ドラム洗濯機の使用者は、洗濯物を投入又は引し出れするために腰を曲げて作業をしなければならないという不便さがあった。
前記の不便さを除去するため、前記ドラム洗濯機を所定の高さに支持する洗濯機用台座が開発されて使用されている。
【０００５】
図１は、一般的なドラム洗濯機及び該ドラム洗濯機の下部に提供され、前記ドラム洗濯機を所定の高さに支持する一般的な洗濯機用台座を概略的に示した斜視図である。
図１に示したように、前記一般的な洗濯機用台座２０は、前面パネルと該前面パネルの両端にそれぞれ垂直に連結される両側面パネル、該両側面パネルの後端に該両端が垂直に連結されるリアパネルを含んで成る。
【０００６】
ここで、前記洗濯機用台座の水平面積は、前記ドラム洗濯機１０の下部面積と同じように構成され、該各パネルが互いに連結される端の上端には、前記ドラム洗濯機１０の脚部１１が乗せられる下敷板２１が形成される。そして、前記台座２０の下側、より詳細には該各パネルが互いに連結される端の下端には、高さ調節が可能なボルト構造を有する台座脚部２２が結合される。
【発明の概要】
【発明が解決しようとする課題】
【０００７】
しかしながら、上記の構成を有する一般的な洗濯機用台座には、次のような問題点があった。
第一に、前記一般的な洗濯機用台座は、単純に前記ドラム洗濯機の下部を所定の高さに支持するだけで、内部の空間を活用し得ないという問題がある。
第二に、前記一般的な洗濯機用台座が、脚部の位置が異なるドラム洗濯機や衣類乾燥機を支持するためには、前記脚部が座着される下敷板をそれぞれ個別に製作しなければならない。
第三に、前記一般的な洗濯機用台座の下敷板には、ドラム洗濯機の脚部が単純に座着されるだけで固定される構造ではないため、ドラム洗濯機の作動中に発生する振動によりドラム洗濯機の脚部が前記下敷板から抜けるという問題もある。
【０００８】
本発明は上記の問題点を解決するためのもので、本発明の目的は、品物を所定高さに支持し、内部の空間を活用し得るように引き出しを有する台座を提供することにある。
【０００９】
本発明の他の目的は、ドラム洗濯機と衣類乾燥機のように脚部の位置が互いに異なる品物の支持に共用化し得る台座を提供することにある。
【００１０】
本発明のまた他の目的は、引き出しが台座の内部に所定の深さ以上挿入されると、自動的にロッキングされ、台座が傾いても引き出しが抜けるのを防止する台座を提供することにある。
【課題を解決するための手段】
【００１１】
上記目的を達成するため、本発明による台座は、一方の側面に開口部が形成される所定高さの台座本体と、該台座本体の開口部を通して出し入れされながら該開口部を開閉する引き出しと、を含んで成ることを特徴とする。
【００１２】
また、前記引き出しは、収納空間を形成する引き出し本体と、該引き出し本体の前面を成し、入れる時に前記台座本体の前記開口部をカバーする前面カバーと、該前面カバーに提供される取っ手と、を含んで成ることを特徴とする。
【００１３】
前記前面カバーは、前記取っ手の後方に所定の深さに形成される凹入部を有する。
前記取っ手は、該取っ手の前面を成すフロントパートと、該フロントパートの後面に提供されるリアパートと、を含んで成ることを特徴とする。
【００１４】
前記取っ手は、螺子が形成された軸方向の中空を有して、前記取っ手の後面から後方に突出される結合突起と、該結合突起が挿入されて固定されるように、前記前面パネルの前、後面を貫通する貫通孔により前記前面パネルに固定されることを特徴とする。
【００１５】
前記取っ手の上面の両側には、後方に突出される一対の座着部が形成され、前記前面カバーの上面の両側には、前記一対の座着部が座着される座着溝が形成されることを特徴とする。
【００１６】
前記取っ手の各座着部の後端には、後方に突出される所定大きさの固定突起が形成され、前記前面パネルの各座着溝の後方内壁には、前記固定突起が挿入される固定溝が形成されることを特徴とする。
【００１７】
前記引き出しが円滑に出し入れされるように前記引き出しを導くガイド装置を更に含んで成ることを特徴とする。
【００１８】
前記ガイド装置は、前記台座本体の両側内面に前記引き出しの出し入れ方向に具備される支持ガイドと、前記引き出しの両側外壁に前記引き出しの出し入れ方向に具備される出し入れガイドと、前記支持ガイドと出し入れガイド間の摩擦を最小化し、前記引き出しの出し入れを円滑にする転動手段と、を含んで成ることを特徴とする。
【００１９】
前記支持ガイドはバー形状で、前記出し入れガイドは前記支持ガイドが挿入される溝を有することを特徴とする。
上記の構成と異なり、前記引出入ガイドがバー形状で、前記支持ガイドは前記出し入れガイドが挿入される溝を有することもできることを特徴とする。
【００２０】
前記転動手段は、前記支持ガイドと前記出し入れガイドの間に提供される転動部材と、該転動部材を回転可能に支持する転動部材の支持部と、を含んで成る。ここで、前記転動部材は、ボール又はローラーから成ることを特徴とする。
【００２１】
そして、前記転動部材の支持部は前記出し入れガイドに固定されることを特徴とする。
前記引き出しが台座本体の内部に所定の深さ以上入れられると、前記引き出しが自動的に閉まって拘束されると同時に、所定水準以上の外力が加えられないかぎり、前記引き出しの拘束状態を維持するセルフロッキング装置を更に含んで成ることを特徴とする。
【００２２】
前記セルフロッキング装置は、前記支持ガイドに具備される固定部材と、前記出し入れガイドに具備され、前記引き出しが前記台座本体の内部に所定深さ以上入れられると、前記固定部材に連結されて前記引き出しが自動的に閉まり、前記引き出しを引き出すために所定水準以上の外力が加えられると、該引き出しがスムーズに開かれるように前記固定部材との連結状態が解除されるフックアセンブリを含んで成ることを特徴とする。
【００２３】
前記固定部材は、前記支持ガイドの後方部に具備され、前記フックアセンブリは、前記引き出しが完全に閉まった時、前記固定部材に対応されるように前記出し入れガイドの後方部に具備されることを特徴とする。
【００２４】
前記フックアセンブリは、前記引き出しが前記台座本体の内部に所定深さ以上引入れられると、前記固定部材にかかり、前記引き出しを引き出すために所定水準以上の外力が加えられると、前記固定部材から分離されるフック部と、該フック部が前記固定部材にかかった状態で移動することを導き、前記引き出しが所定距離以上引き出されると、前記フック部が前記固定部材と分離されるように導くフックガイド部と、前記フック部とフックガイド部とを連結し、前記引き出しが前記台座本体の内部に所定の深さ以上入れられて前記フック部が前記固定部材にかかると、前記フック部に復元力を加えて前記引き出しが自動的に閉まるようにすることで、前記引き出しを拘束する弾性部とを含んで成ることを特徴とする。
【００２５】
前記フックガイド部は、前記引き出しの引出入方向に長く形成される第１ガイドスロットと、該第１ガイドスロットと平行して前記第１ガイドスロットの後端部より所定の長さだけ更に長く延長された後端部を有する第２ガイドスロットと、該第２ガイドスロットの後端部から前記第１ガイドスロット側に垂直に延長形成される第３ガイドスロットとを含んで構成され、前記フック部は、前記第１ガイドスロットに沿って移動する第１ピンと、前記第２ガイドスロットと前記第３ガイドスロットに沿って移動する第２ピンと、を含んで成ることを特徴とする。
【００２６】
前記引き出しが所定距離以上引き出されて前記フック部と前記固定部材とが分離される時、前記フック部がかかって固定されるように、前記第２ガイドスロットと第３ガイドスロットとが連結される内側コーナーに突出部が形成されることを特徴とする。
【００２７】
前記弾性部は、一方の端が前記フック部の第１ピンに連結され、他方の端が前記第１ガイドスロットの前端部に連結されるスプリングから成ることを特徴とする。
【００２８】
前記台座本体は、上面の各端に前記台座本体により支持される対象物の脚部が座着される各脚部座着部材を含んで成ることを特徴とする。
【００２９】
前記台座本体は、前記対象物の各脚部より間隔の狭い各脚部を有する他の対象物に共用可能に構成されることを特徴とする。
【００３０】
前記各脚部座着部材は、洗濯機の脚部が座着される第１座着孔と、前記洗濯機の各脚部より間隔の狭い衣類乾燥機の脚部が座着される前記衣類乾燥機の脚部が座着され得るように形成された第２座着孔と、を含んで成ることを特徴とする。
【００３１】
前記第２座着孔は、前記第１座着孔と一部分が重なるか、又は所定距離離隔された位置に形成されることを特徴とする。
前記台座本体は、前記台座本体の下面に提供され、高さ調節が可能な各脚部アセンブリを含んで成ることを特徴とする。
【００３２】
前記各脚部アセンブリは、外周面に螺子山が形成されて前記台座本体の下部に結合される螺子部と、該螺子部の下端に具備されるボルトヘッドから成る脚部ボルトと、上面が該ボルトヘッドに密着され、下面が前記台座の設置される底面に触れるソフト材質の緩衝部材と、該緩衝部材と前記ボルトヘッドとを相互に結合させるスロットダーと、を含んで成ることを特徴とする。
【００３３】
前記ボルトヘッドは、前記螺子部の下端に一体に形成される多面体構造の上部ヘッド部と、該上部ヘッド部の下部に一体に形成される円状の下部ヘッド部と、を含んで成ることを特徴とする。
【００３４】
前記緩衝部材は、前記下部ヘッド部に前記脚部ボルトに対して相対的に回転しないように結合されることを特徴とする。
【００３５】
前記スロットダーは、上下部が貫通されるように形成され、前記下部ヘッド部の端部の上面と前記緩衝部材の端部の下面とをそれぞれ上下方向から加圧して前記下部ヘッド部と前記緩衝部材とを相互固定させ、前記貫通された下部を通って前記緩衝部材の下部が下方に突出されることを特徴とする。
【００３６】
前記スロットダーは、前記下部ヘッド部と前記緩衝部材の外周面を支持して上下方向に貫通された環状のスロットダー本体と、外周面が前記スロットダー本体の下端の内周面に一体に連結されて前記緩衝部材の端部の下面を支持し、中央部に前記緩衝部材の下部が貫通する開口部を有する下端支持部と、前記スロットダー本体の上端内周面から中心を向けて突出されて前記下部ヘッド部の端部の上面を支持し、下面から前記下端支持部の上面までの距離が前記緩衝部材の端の厚さと前記下部ヘッド部の端の厚さとの合計より小さい上端支持部と、を含んで成ることを特徴とする。
【００３７】
前記上端支持部は、円周方向に所定間隔を有する複数個のフックを含んで成ることを特徴とする。
前記下端支持部は、前記各フックの下側に位置する部分に複数個の切開孔を有することを特徴とする。
【００３８】
そして、前記スロットダーと前記脚部ボルトは、相対的に回転しないように形成される。
前記スロットダーの内面にはスロットダー回転防止突起が突出形成され、前記ボルトヘッドの外面には前記スロットダーの回転防止突起が挿入されるスロットダー回転防止溝が形成されることを特徴とする。
【００３９】
前記スロットダーは、非柔質材質から成り、外周面が多角状構造に形成されることを特徴とする。
前記台座本体は、前記開口部の両側に前記台座本体により支持される対象物の荷重を支持する補強部材を含んで成ることを特徴とする。
【発明の効果】
【００４０】
上記のような構成から成る本発明の効果を要約すると次の通りである。
第一に、本発明による洗濯機用台座によると、出し入れ可能な引き出しが具備されて内部の空間を効果的に活用することができる。
【００４１】
第二に、本発明による洗濯機用台座によると、ガイド装置が具備されて前記引き出しの出し入れがスムーズに行われる。
【００４２】
第三に、本発明による洗濯機用台座によると、セルフロッキング装置が具備されて、前記引き出しが前記台座本体の内部に所定の深さ以上入れられると、前記引き出しが自動的に閉まってロッキングされると同時に、所定水準以上の外力が加えられないかぎり、前記引き出しのロッキング状態は解除されない。
【００４３】
第四に、本発明による洗濯機用台座によると、前記引き出しの前方に取っ手が突出しないように前記取っ手の把持のための凹入部が具備され、前記洗濯機用台座の全体的容積の増加を防止し、前記取っ手が外部品物にぶつかって破損したり、又は使用者の身体に負傷を負わせることを防止する。
【００４４】
第五に、本発明による洗濯機用台座によると、前記台座本体の上面に洗濯機以外に衣類乾燥機などが座着され得るように脚部座着部材が具備されて、脚部の位置に関わらず、洗濯機と衣類乾燥機に共同で使用される。
【００４５】
第六に、本発明による洗濯機用台座によると、前記台座本体の下面に高さ調節の可能な脚部アセンブリが具備されて、使用者の背の高さに合わせて前記洗濯機用台座の高さを調節するか、又は前記洗濯機用台座の水平調節が容易である。
【図面の簡単な説明】
【００４６】
【図１】従来の洗濯機用台座とドラム洗濯機を示した斜視図である。
【図２】本発明による洗濯機用台座と一般的なドラム洗濯機を示した斜視図である。
【図３】本発明による洗濯機用台座の上部斜視図である。
【図４】本発明による洗濯機用台座に提供される台座本体の一部切開斜視図である。
【図５】本発明による洗濯機用台座に提供される脚部アセンブリを示した部分断面図である。
【図６】本発明による洗濯機用台座に提供される脚部アセンブリを示した下部平面図である。
【図７】本発明による洗濯機用台座に提供される脚部アセンブリを分解して示した断面図である。
【図８】本発明による洗濯機用台座に提供される引き出しを示した斜視図である。
【図９】図８に図示された引き出しを分解して示した斜視図である。
【図１０】図９の“Ａ”部を拡大して示した一部透視斜視図である。
【図１１】本発明による洗濯機用台座に提供される引き出しの出し入れのためのガイド装置及びセルフロッキング装置を示した図である。
【図１２】図１１の“Ｂ”部を拡大して示した図である。
【図１３】図１２のＩ-Ｉ線に沿って切開して示した断面図である。
【図１４Ａ】図１１の“Ｃ”部を拡大して示した図面であって、引き出しが完全に閉まった状態のセルフロッキング装置を示した図である。
【図１４Ｂ】引き出しが開かれる初期状態のセルフロッキング装置を示した図である。
【図１４Ｃ】引き出しのロッキングが解除された状態のセルフロッキング装置を示した図である。
【発明を実施するための形態】
【００４７】
図２乃至図４に示したように、本発明による洗濯機用台座１００は、前面に形成される開口部２１０を有する直六面体形状の台座本体２００と、前記台座本体の開口部２１０を通して出し入れされる引き出し３００と、を含んで成る。
【００４８】
前記台座本体１００の上面の端には、一般的なドラム洗濯機５０の脚部(図示せず)に対応する第１座着孔２２１を有する脚部座着部材２２０が提供される。
【００４９】
但し、本発明による洗濯機用台座１００は、その上部に前記ドラム洗濯機だけでなく、衣類乾燥機(図示せず)も設置し得るように構成される。このために、前記脚部座着部材２２０には、前記衣類乾燥機の脚部位置に対応される第２座着孔２２２が形成される。
【００５０】
ここで、該第２座着孔２２２は、前記第１座着孔２２１と一部分が重なるか、又は所定距離離隔された位置に形成される。一般に、前記衣類乾燥機の各脚部の間の間隔は、前記ドラム洗濯機の各脚部の間の間隔より狭いので、前記第２座着孔２２２は、前記台座本体の上面の対角線方向に前記第１座着孔２２１の内側に提供される。
【００５１】
前記ドラム洗濯機と衣類乾燥機の脚部座着のために、前記脚部座着部材を使うことなく、前記台座本体２００の上面の所定位置に前記各脚部に対応する各座着溝(図示せず)を一体に形成することもできる。
【００５２】
上記の構成に加えて、前記台座本体の開口部２１０の両側には、前記台座本体２００の上部に座着される前記ドラム洗濯機５０又は衣類乾燥機などの荷重に耐えるように補強部材２３０が設置されることが好ましい。
【００５３】
そして、前記台座本体２００の両側面には、該台座本体２００と前記ドラム洗濯機又は衣類乾燥機を相互固定するバインディング部材５１の締結のための締結孔２４０が形成される。
【００５４】
一方、前記台座本体２００の下面端には、前記台座本体２００を支持し、高さ調節の可能な脚部アセンブリ２５０が具備される。
【００５５】
前記脚部アセンブリ２５０は、図５乃至図７に示したように、外周面に螺子山が形成されて、前記台座本体の下部に結合される螺子部２５１と該螺子部２５１の下端に具備されるボルトヘッド２５２から成る脚部ボルト２５３と、前記ボルトヘッド２５２に密着されるソフト材質の緩衝部材２５４と、該緩衝部材２５４と前記ボルトヘッド２５２とを相互に結合させるスロットダー２５５と、を含んで成る。
【００５６】
ここで、前記ボルトヘッド２５２は、前記螺子部２５１の下端に一体に形成される多面体構造の上部ヘッド部２５２ａと、該上部ヘッド部２５２ａの下部に一体に形成され、下部に回転防止溝２５２ｃが形成される円状の下部ヘッド部２５２ｂと、を含んで成る。
前記上部ヘッド部２５２ａは、スパナ又はレンチなどの工具や手で前記脚部ボルトを回し得るため、前記のように多面体に構成され、前記下部ヘッド部２５２ｂは前記上部ヘッド部２５２ａに比べて大きい外径を有する。
【００５７】
前記緩衝部材２５４は、前記ボルトヘッド２５２の下部ヘッド部２５２ｂの下面に密着されて前記脚部アセンブリ２５０を通って伝逹される振動や衝撃を緩衝する構成であって、前記緩衝部材の下面は、前記洗濯機用台座が設置される底面に触れ、前記緩衝部材２５４の上面には、該緩衝部材２５４が前記脚部ボルト２５３と相対的に回転することを防止するように前記回転防止溝２５２ｃに挿入される回転防止突起２５４aが形成され、上部わくには前記下部ヘッド部２５２ｂの下面の端に密着し、前記スロットダーにより支持される円状のフランジ２５４ｂが形成される。
【００５８】
ここで、前記回転防止溝２５２ｃは、前記緩衝部材の回転防止突起２５４ａと同一個数であって、四つぐらい具備されることが前記緩衝部材２５４の回転防止に有利である。そして、前記下部ヘッド部の回転防止溝２５２ｃは、スロット形態の溝や円状構造の溝など多様な形状からなり得るし、前記下部ヘッド部２５２ｂの下面中心で半径方向の所定位置に形成されることが前記緩衝部材の回転防止に効果的である。勿論、前記回転防止溝が前記緩衝部材２５４の上面に形成され、前記回転防止突起が前記下部ヘッド部２５２ｂの下面に形成され得ることも上述した説明からして自明である。
【００５９】
次いで、前記スロットダー２５５は、上下部が貫通されたほぼ環状に構成され、前記下部ヘッド部２５２ｂの端の上面と前記緩衝部材２５４の端、即ち、前記フランジの下面をそれぞれ上下方向から加圧して前記下部ヘッド部２５２ｂと前記緩衝部材２５４とを相互固定させる構成であって、前記緩衝部材２５４が前記スロットダー２５５によって前記下部ヘッド部２５２ｂの下側に固定されると、前記緩衝部材２５４の下部は、前記スロットダー２５５の下部に形成された円状の開口部２１０を通って下方に突出される。
【００６０】
より詳細に説明すると、前記スロットダー２５５は、前記下部ヘッド部２５２ｂと前記緩衝部材２５４の外周面を支持して上下方向に貫通された環状のスロットダー本体２５５ａ、その外周面が前記スロットダー本体の下端の内周面に一体に連結されて、前記緩衝部材のフランジ２５４ｂの下面を支持し、中央部に前記緩衝部材の下部が貫通する前記開口部２５５ｂを有する下端支持部２５５ｃと、前記スロットダー本体の上端内周面から中心に向けて突出されて、前記下部ヘッド部２５２ｂの端の上面を支持する上端支持部と、を含んで成る。
【００６１】
本発明において、前記上端支持部は、前記脚部アセンブリの組み立てを容易にするため、円周方向に所定間隔を有する複数個のフック２５５ｄから成る。そして、前記スロットダー２５５の下端支持部２５５ｃの上面から前記フック２５５ｄの下面までの距離は、前記緩衝部材２５４のフランジの厚さと前記下部ヘッド部２５２ｂの端の厚さとの合計より小さい寸法に形成されることが好ましい。
【００６２】
また、前記スロットダー２５５の下端支持部２５５ｃの開口部上端にはリング形状に突出され、前記緩衝部材２５４のフランジ下面の内側の枠を押すことで、前記緩衝部材をより堅固に固定する加圧突起２５５ｆが具備されることが好ましい。ここで、前記加圧突起は、円周方向に所定間隔を有する複数個の突起から成ることもできる。
【００６３】
そして、前記スロットダー２５５の前記下端支持部のうち前記各フックの下側に位置する部分には、前記スロットダー２５５の組み立てを容易にする複数個の切開孔２５５gが追加的に形成されることが好ましい。又、該切開孔２５５gが形成されると、前記脚部アセンブリの組み立て時、前記スロットダーのフック２５５ｄの形成された部分がより容易に開放されて前記スロットダー２５５の組み立てを容易にする。
【００６４】
上記の構成に加えて、前記ボルトヘッドの下部ヘッド部２５２ｂの外周面には、円周方向に沿って少なくとも一つ以上のスロットダー回転防止溝２５２ｄが形成され、前記スロットダー本体２５５ａの内周面には、前記スロットダー回転防止溝２５２ｄに挿入されるスロットダー回転防止突起２５５ｈが形成される。ここで、前記スロットダー回転防止突起２５５ｈは、上部から見た時、前記各フック２５５ｄの間に交互に形成されることが好ましい。
【００６５】
そして、前記スロットダー２５５は、非柔質部材として前記スロットダー本体の外周面が多角状に面取りされた構造を有する方が良い。これは、スパナとレンチなどの工具や手でスロットダー２５５を取って回し安くするためである。
【００６６】
前記のような構成によって、前記台座本体２００の上面の端にドラム洗濯機又は衣類乾燥機の脚部位置に対応するように互いに異なる位置に形成される座着孔を有する前記脚部座着部材２２０が具備され、前記台座１００を必要によってドラム洗濯機と衣類乾燥機に共用で使用することができる。
【００６７】
また、前記台座本体２００の下面には、高さ調節の可能な前記脚部アセンブリが具備され、使用者の背丈に合わせた高さ調節が容易であって、水平維持も容易である。そして、前記脚部アセンブリ２５０は、前記スロットダー２５５が非柔質材質の多面体構造であるため、手で回す場合にすべりが防止され、特にスパナやレンチなどの工具を利用し得るため、組み立て及び分離が容易で、高さ調節のための作業性が向上する。
【００６８】
次いで、図８乃至図１０に示したように、前記引き出し３００は、収納空間を成す引き出し本体３１０と、該引き出し本体３１０の前面を成し、入れる時に前記台座本体の開口部をカバーする前面カバー３２０と、該前面カバー３２０に提供される取っ手３３０と、を含んで成る。
【００６９】
ここで、前記前面カバー３２０は、前記開口部２１０が形成される前記台座本体２００の前面全体をカバーするように構成される。
前記取っ手３３０は、前記引き出し３００を容易に出し入れするように提供される構成であって、前記取っ手の前面を成すフロントパート３３１と、螺子によって前記フロントパート３３１の後面に締結されて結合されるリアパート３３２とを含んで成る。
【００７０】
前記取っ手３３０は、上部から見ると、その両端が後方に突出されてほぼ“逆コの字”形状を成す。より詳細に説明すると、前記フロントパート３３１の上面の両側には、後方に突出されて前記前面カバー３２０の上面の両側に座着される一対の座着部３３１ａが形成され、該各座着部３３１ａの後端には後方に突出される所定大きさの固定突起３３１ｂが形成され、前記フロントパートの後面、特に前記一対の座着部３３１ａの下側には、前記前面カバーとの結合のために内周面に螺子が形成される一対の結合突起３３１ｃが形成される。
【００７１】
これに対応し、前記前面カバー３２０の上面の両側には、前記座着部３３１ａが座着される一対の座着溝３２１が形成され、該各座着溝３２１の後方内壁には、前記固定突起３３１ｂが挿入される固定溝３２２が形成され、前記結合突起３３１ｃが挿入されて螺子Ｓによって結合されるように、前記前面カバー３２０の前面には前記前面カバーの前、後面を貫通する貫通孔３２３が形成される。
【００７２】
前記リアパート３３２は、前記取っ手３３０全体の強度補強のために、所定強度以上を有する材質から構成される方が良い。
そして、前記取っ手３３０の把持が容易であるように、前記前面カバー３２０の前面のうち前記取っ手３３０の後方に所定深さの凹入部３２０ａが形成される。
【００７３】
より詳細に説明すると、本発明に提供される前記取っ手３３０は前記前面カバー３２０の前方外観を成し、前記取っ手３３０の後方に位置する前記前面カバー３２０の中間部位は把持が容易なように後方に凹入されるため、前記取っ手３３０部分が前記前面カバー３２０の前面から大きく突出せず、本発明による洗濯機用台座１００の全体的な容積を大きくすることなく、安定的できれいな外観を具現し得る。
【００７４】
上記のように構成される理由は、前記前面カバー３２０の中間部位に前記凹入部３２０ａが形成されない場合は、前記取っ手を取るためのギャップ形成のために、前記取っ手３３０が前記前面カバー３２０の前方に突出しなければならないため、前記引き出し３００の全体的な容積が大きくなり、前記取っ手３３０が他の品物や使用者の足などにぶつかるようになることで、前記取っ手が損傷し若しくは使用者がけがをする場合が発生するからである。
【００７５】
上記の構成によって、前記取っ手３３０と前記前面カバー３２０とが相互堅固に結合される。即ち、前記取っ手３３０の座着部３３１ａが前記前面カバーの座着溝３２１に座着されて、前記固定突起３３１ｂが前記前面カバー３２０の固定溝３２２に挿入され、前記取っ手３３０の結合突起３３１ｃが前記前面カバー３２０の貫通孔３３３に挿入された状態で、前記前面カバー３２０の後方で前記螺子Ｓが締結されることで、前記取っ手３３０が前記前面カバー３２０に装着される。
【００７６】
ここで、前記貫通孔３２３の後端部である前記螺子Ｓが挟まれる入口部３２３ａのわくを前方に陷沒させて、前記螺子Ｓが前記前面カバーの後面から突出されないようにすることが好ましい。
【００７７】
上記の構成と異なり、前記取っ手の座着部３３１ａが前記前面カバーの座着溝３２１に座着された状態で、螺子締結によって前記取っ手３３０が前記前面カバー３２０に固定されるか、又は前記取っ手の所定部位にフックを設置し、前記前面カバーの所定部位にフック溝を形成して前記取っ手が前記前面カバーに固定されることもできる。
【００７８】
一方、前記台座本体２００及び引き出し本体３１０には、前記引き出し３００の引出入のためのガイド装置４００が具備される。
【００７９】
図１１乃至図１３に示したように、前記ガイド装置４００は、前記台座本体２００の両側内面に前記引き出しの出し入れ方向に具備されるバー形状又はチャンネル形状の支持ガイド４１０と、前記引き出し本体３１０の両側外壁に前記引き出しの出し入れ方向に具備され、前記支持ガイドが挿入されるように“逆コの字”状の溝を有するチャンネル形状の引出入ガイド４２０と、該支持ガイド４１０と引出入ガイド４２０の間の摩擦を最小化して前記引き出しの出し入れを円滑にする転動手段４３０と、を含んで成る。勿論、前記支持ガイド４１０と引出入ガイド４２０との形状は反対に構成されることもできる。
即ち、前記支持ガイドをチャンネル形状に、前記引出入ガイドをバー形状に構成しても良い。
【００８０】
前記引出入ガイド４２０は、前記引き出し本体３１０の両側面の前端に具備される引き出しブラケット３１１に螺子により締結されるか、又は前記引き出し本体３１０の両側面に直接結合される。
【００８１】
そして、前記転動手段４３０は、前記支持ガイド４１０と前記引出入ガイド４２０の間に提供される転動部材４３１と、該転動部材４３１を回転可能に支持する転動部材の支持部４３５と、を含んで成る。
【００８２】
ここで、該転動部材４３１は、ボールやローラーなどが採択されることができるし、前記転動部材４３１には、前記引き出しの出し入れ時に摩擦減少のためにグリースなどのスムーズ液を振り撤く方が良い。そして、前記転動部材支持部４３５は、前記引出入ガイドに固定されるか、又は設計条件により前記支持ガイドに固定される。
【００８３】
上記の構成に加えて、本発明による洗濯機用台座１００には、前記引き出し３００が前記台座本体２００の内部に所定深さ以上入れられると、前記引き出し３００が自動的に閉まって拘束されると同時に、所定水準以上の外力が加えられないかぎり、前記引き出し３００の拘束状態を維持し得ないセルフロッキング装置５００が具備される。
【００８４】
前記セルフロッキング装置５００は、図１４Ａ乃至図１４Ｃに示したように、前記支持ガイド４１０に具備される固定部材５１０と、前記出し入れガイドに具備されて前記引き出し３００が前記台座本体２００の内部に所定深さ以上入れられると、前記固定部材５１０に連結されて前記引き出し３００が自動的に閉まるようにし、該引き出しを引き出すために所定水準以上の外力が加えられると、前記引き出し３００が開かれるように前記固定部材５１０との連結状態が解除されるフックアセンブリ５２０と、を含んで成る。
【００８５】
本発明において、前記固定部材５１０は、前記支持ガイド４１０の後端部又は前記支持ガイド４１０の後端部から前方に所定距離離隔された位置のように前記支持ガイドの後方部に具備されるが、これに限定される必要はなく、前記フックアセンブリ５２０に連結されるように、前記引出入ガイド４２０の進行方向に対して直交する方向に形成される突起を有する。
【００８６】
前記フックアセンブリ５２０は、前記引き出しが完全に閉まった時、前記固定部材に対応されるように前記出し入れガイド４２０の後端部又は前記出し入れガイド４２０の後端部から前方に所定距離離隔された位置のように前記引出入ガイドの後方部(rear portＩon)に具備されるが、これに限定される必要はない。
【００８７】
そして、前記フックアセンブリ５２０は、前記引き出し３００が前記台座本体２００内部に所定深さ以上入れられると、前記固定部材５１０の突起にかかり、前記引き出し３００を引き出るために所定水準以上の外力が加えられると、前記固定部材５１０から分離されるフック部５２１と、該フック部５２１が前記固定部材５１０にかかった状態で移動することを導き、前記引き出し３００が所定距離以上引き出されると、前記フック部５２１が前記固定部材５１０と分離されるように案内するフックガイド部５２２と、該フック部５２１とフックガイド部５２２とを連結し、前記引き出し３００が前記台座本体２００の内部に所定深さ以上入れられて前記フック部５２１が前記固定部材５１０にかかると、前記フック部５２１に復元力を加えて前記引き出し３００が自動的に閉まるようにする弾性部と、を含んで成る。
【００８８】
前記フックガイド部５２２は、前記引出入ガイド４２０に固定されるガイド本体５２２ａと、該ガイド本体５２２ａに形成されて前記フック部の移動を導く各ガイドスロット５２２ｂ、５２２ｃ、５２２ｄと、を含んで成る。
【００８９】
前記各ガイドスロットは、前記引き出しの出し入れ方向に長く形成される第１ガイドスロット５２２ｂと、該第１ガイドスロット５２２ｂの下側に形成されて、前記第１ガイドスロット５２２ｂに平行な第２ガイドスロット５２２ｃと、該第２ガイドスロット５２２ｃの後端部から前記第１ガイドスロット５２２ｂ側に垂直に延長形成される第３ガイドスロット５２２ｄと、で構成される。
【００９０】
ここで、前記第３ガイドスロット５２２ｄと前記第１ガイドスロット５２２ｂが互いに交差しないように、前記第２ガイドスロット５２２ｃの後端部は、前記第１ガイドスロット５２２ｂの後端部より所定の長さだけ更に長く延長される。
【００９１】
そして、前記フック部５２１には、前記固定部材５１０が挿入されてかかる係り溝５２１ｃ又は輪状のものが形成される。即ち、前記フック部５２１の係り溝５２１ｃは、前記固定部材５１０の形状に対応して“逆コの字”形状に形成されるが、必ずこれに限定されない。
【００９２】
また、前記フック部５２１は、その側面に前記第１ガイドスロット５２２ｂに沿って移動する第１ピン５２１ａと、前記第２ガイドスロット５２２ｃと前記第３ガイドスロット５２２ｄに沿って移動する第２ピン５２１ｂが固定され、前記フック部５２１が前記固定部材にかかるか、又は前記フック部５２１と前記固定部材５１０とのかかり状態が解除される時、前記フック部５２１が前記第１ガイドスロット５２２ｂの後端部に位置する前記第１ピン５２１ａを中心に時計又は反時計方向に回動するようになる。ここで、前記第１ピン５２１ａと第２ピン５２１ｂは固定されたピンだけではなく、ローラーのような回転可能な構造も採択される。
【００９３】
上記の構成に加えて、前記第２ガイドスロット５２２ｃと前記第３ガイドスロット５２２ｄとが連結される内側コーナー部位には突出部５２２ｅが具備され、前記第３ガイドスロットの入り口は、瓶の首と類似形状を成すことで、前記第１ピン５２１ａを中心に前記フック部５２１が時計方向又は反時計方向に回転し、前記第２ピン５２１ｂが前記第３ガイドスロットの突出部５２２ｅにかかるか、かかりが解除されることでセルフロッキングされるか、又はセルフロッキングが解除される。
【００９４】
前記突出部５２２ｅの曲律半径は、適切な大きさで設計されなければならない。これは、前記引き出し３００が開かれた状態で該引き出し３００が閉まることと関係ない外部衝撃などによって、前記フック部５２１と前記突出部５２２ｅとがかかり合った状態が容易に解除されることを防止し、前記引き出し３００を閉める時、過度に大きな力を要しないようにするためである。
【００９５】
一方、前記弾性部は、スプリング５２３により構成されることが好ましい。該スプリング５２３が引長スプリングである場合、一方の端が前記フック部、特に前記第１ピン５２１ａ側に連結され、他方の端が前記ガイド本体、特に前記第１ガイドスロット５２２ｂの前端部に連結される。図示されてないが、前記スプリングが圧縮スプリングである場合は、前記引長スプリングの場合と反対に一方の端が前記第１ピン５２１ａ側に連結され、他方の端が該第１ガイドスロット５２２ｂの後端部に連結される
【００９６】
上記のような構成を有する前記固定部材５１０と前記フックアセンブリ５２０との位置は、互いに変化しても関係ない。即ち、前記フックアセンブリ５２０が前記支持ガイド４１０に具備され、前記固定部材５１０が前記引出入ガイド４２０に具備されることもできる。そして、前記フックアセンブリと前記固定部材は、それぞれ前記引き出しの一側面と前記台座本体の内壁に、前記ガイド装置に干渉されないように設置される。
【００９７】
以下、上記のような構成を有するセルフロッキング装置によって前記引き出しが出し入れされる過程を説明する。
【００９８】
先ず、図１４Ａは、引き出しが完全に閉まった状態の前記セルフロッキング装置を示したもので、前記フック部５２１が前記固定部材にかかって前記スプリング５２３の復元力によって前記第１ガイドスロット５２２ｂ及び第２ガイドスロット５２２ｃの前端側に位置するようになる。即ち、前記スプリング５２３が前記引き出しの引き出し方向の反対方向に前記固定部材５１０がかかったフック部５２１に力を加えるため、前記洗濯機用台座１００が傾斜するか、又は前記スプリングの復元力以下の力で前記引き出しを前方に引いても、前記引き出し３００が前記台座本体２００から抜けない。即ち、前記引き出し３００が完全に閉まった状態で、該引き出し３００を開く場合は、所定の大きさ以上の力で前記引き出しの取っ手を引っぱらなければならない。
【００９９】
図１４Ｂは、前記引き出しが開かれる初期状態のセルフロッキング装置を示した図であって、使用者が前記引き出しの取っ手３３０を前方に引くと、前記引出入ガイド４２０の移動により前記フックガイド部のガイド本体５２２ａが前方に移動し、前記固定部材５１０にひっかかった前記フック部５２１は、前記第１ガイドスロット５２２ｂ及び第２ガイドスロット５２２ｃに導かれて前記ガイド本体５２２ａの後方に相対的に移動する。この時、前記フック部５２１は、前記スプリングにより継続的に復元力を受ける状態であるため、若し、使用者が前記引き出しの取っ手３３０を離すと、前記引き出し３００は、前記スプリングにより再び完全に閉まる。
【０１００】
前記図１４Ｂの状態で使用者が前記引き出しの取っ手３３０を継続して前方に引くと、前記フック部５２１の第１ピン５２１ａが前記第１ガイドスロット５２２ｂの後端にひっかかるようになり、前記フック部５２１がそれ以上直線移動をすることができず、前記第１ピン５２１ａを中心に反時計方向に回転運動をするようになる。前記フック部５２１の回転運動によって、前記フック部５２１の第２ピン５２１ｂは、前記第２ガイドスロット５２２ｃの後端を経て前記第３ガイドスロットに進入した後、該第３ガイドスロット５２２ｄの入口に形成された前記突出部５２２ｅにかかる。この状態で、前記フック部５２１は、前記スプリングによって加えられる力と前記突出部５２２ｅによる反力によって、前記第２ピン５２１ｂがかかった状態で固定され、前記固定部材５１０と前記フック部５２１とがかかり合った状態は解除され、前記引き出し３００は、前記ガイド装置４００によってスムーズに前方に引出される。
【０１０１】
上記のように前記セルフロッキング装置５００による拘束が解除された状態を示した図面が図１４Ｃである。
【０１０２】
反対に、前記引き出し３００を入れるため、前記引き出しを閉めると、前記第３ガイドスロットの突出部５２２ｅにかかった状態で固定された前記フック部５２１が、前記支持ガイド４１０に具備された前記固定部材５１０にぶつかることで、前記フック部５２１は、前記引き出し３００が開かれる時とは反対方向である前記第１ピン５２１ａを中心に時計方向に回転し、前記第２ピンが前記第２ガイドスロット５２２ｃの後端部に進入するようになる。
【０１０３】
その後、前記引き出しは、使用者が力を加えなくても前記スプリングの復元力によって自動的に閉まって一定の力で拘束される。
上記の構成を有する台座により支持される対象としてドラム洗濯機と衣類乾燥機を主に例示しているが、それに限定されることなく、他の家具や一般的な家電機器にも全部適用され得る事は自明である。従って、洗濯機用台座という本発明の名称において、洗濯機は、前記台座により支持される対象の一例であることは自明である。
【符号の説明】
【０１０４】
１００  台座
２００  台座本体
２１０  開口部
２２０  脚部座着部材
２３０  補強部材
２４０  締結孔
２５０  脚部アセンブリ
３００  引き出し
３１０  引き出し本体
３２０  前面カバー
３３０  取っ手
４００  ガイド装置
４１０  支持ガイド
４２０  引出入ガイド
４３０  転動手段
４３１  転動部材
５００  セルフロッキング装置
５１０  固定部材
５２０  フックアセンブリ
５２１  フック部
５２２  フックガイド部
５２３  スプリング
【図１】
2010057969.tif 000003
【図２】
2010057969.tif 000004
【図３】
2010057969.tif 000005
【図４】
2010057969.tif 000006
【図５】
2010057969.tif 000007
【図６】
2010057969.tif 000008
【図７】
2010057969.tif 000009
【図８】
2010057969.tif 000010
【図９】
2010057969.tif 000011
【図１０】
2010057969.tif 000012
【図１１】
2010057969.tif 000013
【図１２】
2010057969.tif 000014
【図１３】
2010057969.tif 000015
【図１４Ａ】
2010057969.tif 000016
【図１４Ｂ】
2010057969.tif 000017
【図１４Ｃ】
2010057969.tif 000018